(57)【要約】  本発明は、食品などの少なくとも１つの品物（４）を収容する目的のパッケージに関する。本発明によるパッケージは、底部を形成する可撓なインナーシール（２）と、該インナーシールと一緒に前記品物の収容に適した空洞を画定するカバー（３）とを備えており、該カバーが、前記インナーシールよりも剛であって、当該パッケージが閉じられた状態において前記インナーシールの外周へと封じられる外周縁（５）を備えている。本発明によれば、このパッケージが、前記カバーを、前記縁を延長してなる把持手段（６および７）をそれぞれが備えている少なくとも２つのセクタ（３ａおよび３ｂ）へと切断できるようにされており、一方の把持手段（７）を前記インナーシールへと押し付けつつ、他方の把持手段（６）へと前記縁の反対の領域（８ｂ）に向かって引っ張りを加えたときに、この引っ張りの対象である把持手段（６）を備えているセクタ（３ａ）が前記インナーシールから引き離され、パッケージが部分的に開いた状態となる。【選択図】  図６
2009544540.tif 000002
【特許請求の範囲】
【請求項１】
食品などの少なくとも１つの品物（４）を収容するように設計され、
底部を形成する可撓な蓋（２）と、
当該蓋とともに前記品物を収容するために適した空洞を画定するカバー（３）と
を備えており、
前記カバーが、前記蓋よりも固く、閉じられた状態において前記蓋の外周へと封じられる外周縁（５）を備えているパッケージ（１）であって、
前記カバーが、前記縁を延長してなる把持手段（６および７）をそれぞれ備えている少なくとも２つのセクタ（３ａおよび３ｂ）への切断に適しており、
一方の把持手段（７）を前記蓋へと押し付けつつ、他方の把持手段（６）へと当該把持手段（６）と反対である前記縁の領域（８ｂ）の方向に引っ張りを加えたときに、この引っ張りの対象である把持手段（６）を備えているセクタ（３ａ）が前記蓋から引き離され、パッケージが部分的に開いた状態となることを特徴とするパッケージ。
【請求項２】
前記カバー（３）が、一体で形成されていることを特徴とする請求項１に記載のパッケージ（１）。
【請求項３】
前記カバー（３）が、当該カバーの壁を実質的に真っ直ぐな線に沿って引き裂くことができる半剛体形式の熱可塑性材料で形成されていることを特徴とする請求項１または２に記載のパッケージ（１）。
【請求項４】
前記熱可塑性材料が、発泡または非発泡のポリスチレン、および／または発泡または非発泡のポリプロピレン、および／またはポリエチレンを主体とする単層または多層のフィルムであって、随意によりエチレンおよびビニルアルコールの共重合体を主体とする中間層をさらに備えている単層または多層のフィルムで形成されていることを特徴とする請求項３に記載のパッケージ（１）。
【請求項５】
前記カバー（３）が、前記開いた状態を得るために折り返すことができる部分を有していないことを特徴とする請求項１から４のいずれかに記載のパッケージ（１）。
【請求項６】
前記カバー（３）が、実質的に同一である一対の前記セクタ（３ａおよび３ｂ）を得るように、隣接しており、且つ当該カバーの中央平面に関して互いに対称である２つの把持手段（６および７）を備えていることを特徴とする請求項１から５のいずれかに記載のパッケージ（１）。
【請求項７】
例えば引き裂き抵抗の小さいリブまたは凹部で構成される少なくとも１つの切り取り線（８）が、前記カバー（３）において前記把持手段（６および７）と前記縁（５）の前記反対側の領域（８ａ）との間に形成されており、前記引っ張りによって当該切り取り線（８）の各側にそれぞれカバーの前記セクタ（３ａおよび３ｂ）が形成されることを特徴とする請求項１から６のいずれかに記載のパッケージ（１）。
【請求項８】
前記把持手段（６および７）のそれぞれが、前記縁（５）と一緒の一部品にて形成され、前記縁（５）を超えて延びているタブで構成されていることを特徴とする請求項１から７のいずれかに記載のパッケージ（１）。
【請求項９】
前記縁の前記反対側の領域（８ｂ）が、前記開いた状態において、前記蓋（２）から引き離されて他方のセクタ（３ｂ）から分離されたカバーの前記セクタ（３ａ）のための関節を形成することを特徴とする請求項１から８のいずれかに記載のパッケージ（１）。
【請求項１０】
前記蓋（２）および前記カバー（３）の壁面に密着するチーズの個々の部分（４）を収容するために使用することができ、
前記カバーが実質的にドーム状であって、それぞれ半ドームの形状である一対の前記セクタ（３ａおよび３ｂ）を形成することができることを特徴とする請求項１から９のいずれかに記載のパッケージ（１）。
【発明の詳細な説明】
【技術分野】
【０００１】
本発明は、食品などの少なくとも１つの品物を収容するように設計されたパッケージであって、可撓な蓋を備えており、この蓋にカバーがこの蓋へと封じられて載せられる形式のパッケージに関する。
【背景技術】
【０００２】
文献ＦＲ−Ａ−２  ５４９  ０１１に記載されているように、チーズを、剛体基礎に取り付けられる典型的には釣り鐘状の可撓な保護ケースであって、ケースを開けやすくするように設定された引き剥がし帯を有しているケースにパッケージすることは、公知の実務である。引き剥がし帯は、ケースの上部の中央で交差しており、把持用タブを終端としており、チーズへとアクセスするために、これらの帯をケースから完全に取り除き、次いでケースの円周を巡って一様に分布したケースの外側セクタに向かって折り曲げることができるようにしている。
【０００３】
この形式のパッケージの欠点は、特には、その構造が複雑であり、したがって製造コストが高い点にある。
【０００４】
また、チーズの個々の部位を、底部を形成する可撓な剥離可能蓋と、カバーを形成する中空の半剛体シェルとを備えており、シェルがシェルの外周縁によって前記蓋へと封じられるパッケージに梱包することも、公知の実務である。
【０００５】
この後者の形式のパッケージの大きな欠点は、シェルへと封じられた蓋を内部に収容されているチーズへとアクセスするために取り外すことが厄介なものになりがちな点にある。
【発明の概要】
【０００６】
本発明の目的は、食品などの少なくとも１つの品物を収容するように設計され、底部を形成する可撓な蓋と、この蓋とともに前記品物を収容するために適した空洞を画定するカバーとを備えており、このカバーが、前記蓋よりも剛であって、閉じられた状態において前記蓋の外周へと封じられる外周縁を備えているパッケージであって、上述の欠点を是正するパッケージを提案することにある。
【０００７】
したがって、本発明によるパッケージは、前記カバーを、前記縁を延長してなる把持手段をそれぞれが備えている少なくとも２つのセクタへと切断できるようにされており、一方の把持手段を前記蓋へと押し付けつつ、他方の把持手段へとこの把持手段とは反対の前記縁の領域に向かって引っ張りを加えたときに、この引っ張りの対象である把持手段を備えているセクタが前記蓋から引き離され、パッケージが部分的に開いた状態となる。
【０００８】
このカバーが、上述の引っ張り力にて、前記蓋から分離されかつ他方のセクタから綺麗に分離されるセクタが形成されることによって切断できるようなカバーであり、このようにして引き離されたセクタが、収容されている品物の全体を手にすることができるよう、パッケージの空洞へのアクセスのために充分な空間を開放することに注目できる。
【０００９】
また、この本発明によるカバーによれば、ユーザが、パッケージ内の品物へと、そのような品物を指でつかむ必要なく容易にアクセスできることに注目できる。
【００１０】
本発明の他の特徴によれば、前記カバーを、一体構造の中空シェルの形式であるただ１つの部品にて形成することができる。
【００１１】
好都合には、前記カバーを、カバーの壁を実質的に真っ直ぐな線に沿って引き裂くことができる半剛体形式の熱可塑性材料で形成することができる。
【００１２】
好ましくは、前記熱可塑性材料は、例えば発泡または非発泡のポリスチレン、および／または発泡または非発泡のポリプロピレン、および／またはポリエチレンを主体とすることができる単層または多層のフィルムであって、随意によりエチレンおよびビニルアルコールの共重合体を主体とする中間層をさらに備えてもよい単層または多層のフィルムで形成される。
【００１３】
さらにより好ましくは、前記熱可塑性材料が、発泡または非発泡のポリスチレンを主体とする単層フィルムで形成される。
【００１４】
変種として、前記熱可塑性材料を、ポリスチレン／エチレンおよびビニルアルコールの共重合体／ポリスチレン（ＰＳ／ＥＶＯＨ／ＰＳ）、発泡ポリプロピレン／エチレンおよびビニルアルコールの共重合体／ポリエチレン（ＸＰＰ／ＥＶＯＨ／ＰＥ）、発泡ポリプロピレン／ポリエチレン（ＸＰＰ／ＰＥ）、発泡ポリプロピレン／エチレンおよびビニルアルコールの共重合体／ポリプロピレン（ＸＰＰ／ＥＶＯＨ／ＰＰ）、発泡ポリプロピレン／エチレンおよびビニルアルコールの共重合体／ポリスチレン（ＸＰＰ／ＥＶＯＨ／ＰＳ）、発泡ポリプロピレン／ポリプロピレン（ＸＰＰ／ＰＰ）、発泡ポリプロピレン／ポリスチレン（ＸＰＰ／ＰＳ）、発泡ポリスチレン／エチレンおよびビニルアルコールの共重合体／ポリエチレン（ＸＰＳ／ＥＶＯＨ／ＰＥ）、発泡ポリスチレン／エチレンおよびビニルアルコールの共重合体／ポリプロピレン（ＸＰＳ／ＥＶＯＨ／ＰＰ）、発泡ポリスチレン／エチレンおよびビニルアルコールの共重合体／ポリスチレン（ＸＰＳ／ＥＶＯＨ／ＰＳ）、発泡ポリスチレン／ポリプロピレン（ＸＰＳ／ＰＰ）、発泡ポリスチレン／ポリスチレン（ＸＰＳ／ＰＳ）、発泡ポリスチレン／ポリエチレン（ＸＰＳ／ＰＥ）、ポリスチレン／エチレンおよびビニルアルコールの共重合体／ポリエチレン（ＰＳ／ＥＶＯＨ／ＰＥ）、ポリスチレン／エチレンおよびビニルアルコールの共重合体／ポリプロピレン（ＰＳ／ＥＶＯＨ／ＰＰ）、ポリスチレン／ポリエチレン（ＰＳ／ＰＥ）、ポリスチレン／ポリプロピレン（ＰＳ／ＰＰ）、ならびにポリスチレン／ポリスチレン（ＰＳ／ＰＳ）といった多層体で構成される群から選択してもよい。
【００１５】
本発明の別の特徴によれば、前記カバーが、好都合には、前記開いた状態を得るために曲げることができる部分または折り返すことができる部分を有していない。
【００１６】
本発明の別の好ましい特徴によれば、前記カバーが、実質的に同一である一対の前記セクタを得るように、隣接かつ該カバーの中央平面に関して互いに対称である２つの把持手段を備えることができる。
【００１７】
このパッケージは、２つの把持手段の一方をカバーの頂部とは反対の方向に押し付けつつ、他方の把持手段をカバーの頂部に向かって引っ張って、上述のカバーの前記２つのセクタへの切断をもたらすせん断形式の応力をカバーに加えることで、部分的に開くことが可能である。
【００１８】
本発明の特定の実施の形態によれば、例えば引き裂き抵抗の小さいリブまたは凹部で構成される少なくとも１つの切り取り線が、前記カバーにおいて、前記把持手段と前記縁の前記反対側の領域との間に形成されており、前記引っ張りによって該切り取り線の各側にそれぞれカバーの前記セクタが形成される。
【００１９】
この切り取り線は、カバーから引き離されるように設計されているわけではなく、カバーをこの線に沿って引き裂くことができるようにしているだけであるため、上述の文献ＦＲ−Ａ−２  ５４９  ０１１の引き裂き帯などの引き裂き帯に類似していない点に、注目できる。
【００２０】
本発明の他の特徴によれば、前記把持手段のそれぞれを、前記縁と一緒の一部品にて形成されて前記縁を超えて延びているタブで構成することができる。
【００２１】
これらのタブが、パッケージを開くための上述の把持機能に加えて、例えばタブの特定の形状をカバーの特定の形状に組み合わせる（例えば、動物の頭部の形態のカバーに対して耳の形状のタブ、果物または野菜の形態のカバーに対して葉の形状のタブ、収納箱の形態のカバーに対して鍵の形状のタブ、など）ことによって、娯楽機能を有してもよいことに注目できる。
【００２２】
好都合には、前記カバーの縁の前記反対側の領域が、前記開いた状態において、前記蓋から引き離されて他方のセクタから分離されたカバーの前記セクタのための関節を形成する。
【００２３】
やはり好都合には、このパッケージを、前記蓋および前記カバーの壁面に密着するチーズの個々の部分を収容するために使用することができ、前記カバーが、実質的にドーム状（例えば、円形または長円形を有するドーム）であってよく、それぞれ半ドームの形状である一対の前記セクタを形成することができる。
【００２４】
しかしながら、本発明によるパッケージを、例えば個分けされたチョコレートまたは加工肉などの他の食品や、宝石または玩具などの物体など、半剛体、剛体、さらには砕けやすい種類であってもよく、前記カバーの壁面に付着しても、付着しなくてもよい任意の品物を収容するために、一般的な方法で使用できることに注意すべきである。
【００２５】
さらに、前記カバーが、例えば角が丸められた矩形または正方形、六角形、八角形、などといった別の形状を有してもよいことに、注意すべきである。
【００２６】
本発明の他の特徴、利点、および詳細が、添付の図面を参照しつつ行われる本発明のいくつかの典型的な実施の形態についての以下の説明（ただし、あくまでも例示であって、これらに限られるわけではない）を検討することによって、明らかになるであろう。
【図面の簡単な説明】
【００２７】
【図１】本発明の典型的な実施の形態によるパッケージの上面図であって、満たされて蓋によって閉じられる前である。
【図２】図１のパッケージの側面図である。
【図３】満たされて前記蓋によって閉じられた後の図１および図２のパッケージの断面概略図である。
【図４】満たされて閉じられたこの同じパッケージの斜視図であり、カバーが閉じた状態に示されている。
【図５】図４のパッケージの斜視図であり、カバーが開かれ始めた状態に示されている。
【図６】図５のパッケージの斜視図であり、カバーが中身へのアクセスを可能にする部分的に開かれた状態に示されている。
【発明を実施するための形態】
【００２８】
図１〜図４に示したパッケージ１は、底部を形成する可撓な剥離可能蓋２と、一体鋳造の半剛体シェル形式のカバー３とを備えており、カバー３が蓋２とともに、食品（例えば、これに限られるわけではないが、チーズ）の個々の部分などの品物４を受け入れるために適した空洞を画定している。カバー３は、この典型的な実施の形態においては、実質的に半球形のドーム形状を有している。カバー３は、外周の平坦な縁５（この例では、円形である）を備えており、縁５が、図３および図４に示されている閉じられた状態のパッケージ１において、蓋２の外周へと封じられる
カバー３の縁５は、２つの把持手段６および７によって、例えば同一面の様相で、半径方向外側へと延長されている。把持手段６および７は、足の形状の可撓なタブの形式であって、カバー３に実質的に直径の様相で形成された切り取り線８の各側に、互いに隣接して形成されている。
【００２９】
切り取り線８は、例えば引き裂き抵抗の小さいリブまたは凹部で構成され、カバー３を横断する中央平面上を縁５の領域８ａから領域８ａと直径方向に正反対の領域８ｂまで延びている。
【００３０】
この切り取り線８が、カバー３を２つの把持手段６および７がそれぞれ設けられている２つの同一なセクタ３ａおよび３ｂ（この典型的な実施の形態においては、半ドームの形態である）へと、せん断によって切断できるようにしている。
【００３１】
したがって、ユーザ（例えば、パッケージ１に収容された食品４の消費者）は、指で把持手段６および７を保持し、次いで一方の把持手段７を蓋２へと押し付け（図５の矢印Ｂを参照）つつ、他方の把持手段６を縁５の反対側の領域８ｂの方向（図５の矢印Ａを参照）に引っ張ることで、この引っ張りを加えた把持手段のセクタ３ａを蓋２から引き離し、パッケージ１を図６の部分的に開いた状態にする。その結果、この部分的に開いた状態において、引っ張りによって蓋２から引き離されたセクタ３ａが持ち上げられており、縁５の反対側の領域８ｂが関節を形成することで蓋２へとつながったままであってもよいことを、見て取ることができる。
【００３２】
このように、ユーザは、図５および図６に示されるとおり、カバー３を切り取り線８に沿って完璧に綺麗に直線にて切断し、したがってパッケージの中身４を傷めたり、あるいは落としたりすることなく、パッケージの中身４へと容易にアクセスすることができる。
【００３３】
本発明によるパッケージ１のカバー３が、１つ以上の熱可塑性ポリマーを主体とする単層または多層フィルムなど、半剛体のプラスチック材料にもとづいており、すなわち上述のせん断効果によってカバー３を容易に、綺麗に、真っ直ぐに切断できるように設計された材料にもとづいていることに、注目できる。
【００３４】
また、本発明によるパッケージ１のカバー３が、図４〜図６の変種の実施の形態によれば、必ずしも線または切り取り線８の開始を有する必要はなく、それでもなお、この場合にも、カバー３の切断を、前記把持手段６および７の引っ張りの際に綺麗かつほぼ真っ直ぐな方法で達成できることに、注目できる。
【図１】
2009544540.tif 000003
【図２】
2009544540.tif 000004
【図３】
2009544540.tif 000005
【図４】
2009544540.tif 000006
【図５】
2009544540.tif 000007
【図６】
2009544540.tif 000008
【国際調査報告】
2009544540.tif 000009
2009544540.tif 000010
2009544540.tif 000011
2009544540.tif 000012
2009544540.tif 000013
2009544540.tif 000014
2009544540.tif 000015